(57)【要約】【課題】裏面が容器と接触するカバープレートと、リング形状に形成され、周縁部がカバープレートの裏面の周縁部に沿って固定され、周縁部以外の他の部分がカバープレートの裏面に対して分離可能に弾性的に接触される密閉部材となる容器カバーが開示される。【解決手段】一つの容器カバーを、容器の種類やサイズにかかわらず適用することができ、カバーを覆ったり又は外したりする過程が簡単であり、使い捨てではないので、資源の無駄がなく、これによって環境汚染を発生させないという利点がある。【選択図】図３
2007503363.tif 000002
【特許請求の範囲】
【請求項１】
裏面が容器と接触するカバープレートと、
リング形状に形成され、周縁部が前記カバープレートの裏面の周縁部に沿って固定され、前記周縁部以外の他の部分が前記カバープレートの裏面に対して分離可能に弾性的に接触される密閉部材となることを特徴とする容器カバー。
【請求項２】
前記密閉部材の周縁部は、前記カバープレートの側端面、又は表面の周縁部まで延び、固定されることを特徴とする請求項１に記載の容器カバー。
【請求項３】
裏面が容器と接触するカバープレートと、
少なくとも前記カバープレートの表面の周縁部に沿って固定される固定部と、前記固定部から前記カバープレートの表面側に折り曲げられて一体に延び、リング形状の接触部となる密閉部材を含むことを特徴とする容器カバー。
【請求項４】
裏面が容器と接触するカバープレートと、
少なくとも前記カバープレートの表面の周縁部に沿って嵌合される一対の固定部と、前記固定部から前記カバープレートの表面側に折り曲げられて一体に延び、リング形状の接触部となる密閉部材を含むことを特徴とする容器カバー。
【請求項５】
前記カバープレートの側端面の下部の周縁部に沿ってラウンドが形成されることを特徴とする請求項３又は４に記載の容器カバー。
【請求項６】
前記接触部の容器と接触される端部に沿ってボール形状の加圧突起が形成されることを特徴とする請求項３又は４に記載の容器カバー。
【請求項７】
前記密閉部材の材質は、シリコーンであることを特徴とする請求項１乃至４のいずれか１つに記載の容器カバー。
【請求項８】
前記カバープレートの材質は、ポリカーボネート、ポリエチレン、ＰＶＣ及びアクリルのうちのいずれか１つであることを特徴とする請求項１乃至４のいずれか１つに記載の容器カバー。
【発明の詳細な説明】
【技術分野】
【０００１】
本発明は容器カバーに関するものであって、より詳細には容器の種類やサイズにかかわらず適用が可能で、且つ取り扱いが容易であり、内容物が漏れないようにしたカバーに関する。
【背景技術】
【０００２】
一般的に容器カバーは、適用する容器の口部のサイズに対応するように製作される。例えば、口部の円形であるおかず容器は、プラスチック材料を加工して、容器の口部に嵌合されるようにカバーを製作する。
【０００３】
このようにカバーと容器の口部が互いに嵌合される構造を用いる場合にのみ、内容物が外部に漏れることを防止することができた。
【０００４】
結局、それぞれの容器ごとに、それらに適切なカバーを用いなければならないというのである。
【０００５】
反面に、実際的にカバーが提供されない容器が相当多く、このような容器に対しては一般的に他の方法を用いている。例えば、食堂から鍋料理などを出前するためには、容器をラップ(wrap)で覆って汁が外部に漏れないようにする。
【０００６】
しかし、このような方法によれば、ラップが使い捨てで用いられるため無駄な資源が発生し、特に破れる可能性があるため、必要以上に多くの量のラップを用いるようになる。
【０００７】
又、熱い液体を盛る場合には、破損される可能性も高く、何よりラップを外す過程が容易ではないという問題点がある。
【０００８】
又、使い捨てで捨てられるので、多量のごみが発生し、材質の特性上深刻な環境汚染の問題が発生するという問題点がある。
【発明の開示】
【発明が解決しようとする課題】
【０００９】
本発明の目的は、一つの容器カバーを、容器の種類やサイズにかかわらず適用することができる容器カバーを提供することにある。
【００１０】
本発明の他の目的は、使用が容易であり、資源の無駄がない、且つ環境汚染を発生しない容器カバーを提供することにある。
【００１１】
本発明の他の目的と特徴は、以下に述べるとおり、望ましい実施例を通じて明確に理解されるであろう。
【課題を解決するための手段】
【００１２】
本発明の第１の特徴によれば、裏面が容器と接触するカバープレートと、リング形状に形成され、周縁部がカバープレートの裏面の周縁部に沿って固定され、前記周縁部以外の他の部分がカバープレートの裏面に対して分離可能に弾性的に接触される密閉部材となる容器カバーが開示される。
【００１３】
密閉部材の周縁部は、カバープレートの側端面、又は表面の周縁部まで延び、固定されることができる。
【００１４】
本発明の第２の特徴によれば、裏面が容器と接触するカバープレートと、少なくともカバープレートの表面の周縁部に沿って固定される固定部と、固定部からカバープレートの表面側に折り曲げられて一体に延び、リング形状の接触部となる密閉部材を含む容器カバーが開示される。
【００１５】
本発明の第３の特徴によれば、裏面が容器と接触するカバープレートと、少なくともカバープレートの表面の周縁部に沿って嵌合される一対の固定部と、固定部からカバープレートの表面側に折り曲げられて一体に延び、リング形状の接触部となる密閉部材を含む容器カバーが開示される。
【００１６】
望ましくは、カバープレートの側端面の下部の周縁部に沿ってラウンドが形成されることができ、接触部の容器と接触される端部に沿ってボール形状の加圧突起が形成されることができる。
【００１７】
又、望ましくは、密閉部材の材質はシリコーンであり、カバープレートの材質はポリカーボネート、ポリエチレン、ＰＶＣ及びアクリルのうちのいずれか１つである。
【発明を実施するための最良の形態】
【００１８】
以下、添付された図面を参照して本発明の一実施例を説明するが、本発明はこれらの実施例に限定されるものではない。
【００１９】
図１は、本発明の第１の実施例による容器カバーを示す斜視図であり、図２は、図１におけるII-II矢視断面図であり、図３は、図１の分解斜視図である。
【００２０】
図示されたように、カバープレート１０は、一定の厚さを有し、透明に製作して内部に盛られている内容物を外部から確認することができ、外観が美麗に見えるようにする。
【００２１】
カバープレート１０に用いられる材質としては、衝撃強度が大きく、耐熱性が大きく、低温特性も良好で、且つ無毒性のポリカーボネート、ポリエチレン又はＰＶＣなどが用いられることができる。冷蔵庫に保管したり、電子レンジで加熱するなど、容器の用途に応じて適切な材質を選択することができる。
【００２２】
図３を参照すれば、密閉部材２０は、リング形状の接触部２２と、接触部２２の周縁部に沿って垂直に一体に形成される固定部２３となる。リング形状に形成させるために、接触部２２の内側には通孔２１が形成される。
【００２３】
固定部２３は、カバープレート１０の側端面に沿って固定され、接触部２２は、カバープレート１０の裏面に対して分離可能に弾性的に接触される。
【００２４】
密閉部材２０は、柔軟で且つ弾性力を有する材質から作られ、例えば、シリコーンなどが用いられることができる。
【００２５】
符号１２は、カバープレート１０と密閉部材２０との接着面を示す。
【００２６】
一方、図４に示すように、固定部を"Ｕ"字形状に形成してカバープレート１０の側端面と表面にかけて接着されるようにでき、密閉部材２０に別途の固定部を形成せずに接触部の周縁部の一部をカバープレート１０の裏面の周縁部に沿って固定することもできる。
【００２７】
このような構造の容器カバーを実際適用する方法について図４及び図５を参照して説明する。
【００２８】
図５では、容器のサイズが容器カバーより小さな場合を例として挙げた。
【００２９】
同図に示すように、カバープレート１０の周縁部を両手の手の平に面させて親指を除いた４本の指を、密閉部２０の接触部２２とカバープレート１０の裏面の間に入れて引張って密閉部材２０の接触部２２を離隔させる。
【００３０】
次にカバープレート１０を容器３０の口部上に接触させ、離隔された接触部２０を容器３０の側面に対向させ、４本の指を抜く。
【００３１】
この際、前記したように、密閉部材２０の接触部２２は、柔軟であり弾性力を有するために復元力によって容器３０の側面に強く密着されて滑らないようになる。この際、接触部２２の幅を大きくすればするほど大きい密着力を得ることができる。
【００３２】
このような状態で容器を保管したり、移動させることができ、内容物が外部に漏れない。又、容器カバーを外す際には前記順序の逆順に進行すれば良い。
【００３３】
図６は、本発明の第２の実施例による容器カバーを示す断面図であり、図７は、図６の容器カバーを実際適用した状態を示す断面図である。
【００３４】
カバープレート１０は、前記ポリカーボネート、ポリエチレン、ＰＶＣ又はアクリルなどから製作され、望ましくは、透明に形成して内部の内容物を外部から確認することができる。
【００３５】
カバープレート１０は、その側端の下部に丸み１１を有していて、この丸み１１が容器３０の上端に接触することができる。この点については以下に説明する。
【００３６】
図６を参照すれば、この実施例による密閉部材２０は、カバープレート１０の表面に接着剤１２を介して固定される固定部２３と接触部２２を有する。接触部２２は、固定部２３の端部に沿って一体に形成され、カバープレート１０の表面側に折り曲げられる。固定部２２は、リング形状に形成されるために接触部２２の中央部には通孔２１が形成される。
【００３７】
接触部２２と固定部２３とは、一体に射出成形されることができ、例えば、毒性のないシリコーンが用いられることができる。
【００３８】
以下、図７を参照してこの実施例による容器カバーの使用方法を説明する。
【００３９】
先ず、内容物を盛っている容器３０の上端面に容器カバーを位置させた後、カバープレート１０の表面に位置する接触部２２に指を掛けて引張って矢印に表示されたように時計回り方向に２７０°引っ繰り返して容器３０の表面に接触させる。
【００４０】
接触部２２は、固定部２３との境界面から折り曲げられて容器３０の外側面に密着されて容器カバーと容器３０とがしっかり結合される。
【００４１】
この実施例では、接着剤１２をカバープレート１０の表面に適用することによって内容物に直接的な影響を与えないように、カバープレート１０の表面側から接触部２２を引っ繰り返すことができるという点で、取り扱いが容易であるという利点がある。
【００４２】
図８は、本発明の第３の実施例による容器カバーを示す断面図であり、図９は、図８における容器カバーを具体的に示す一部切断斜視図であり、図１０は図８における容器カバーを実際適用した状態を示す断面図である。
【００４３】
前記したように、カバープレート１０は、ポリカーボネート、ポリエチレン、ＰＶＣ又はアクリルなどから製作され、望ましくは透明に形成して内部の内容物を外部から確認することができる。
【００４４】
図８を参照すれば、カバープレート１０の側端面の下部は、ラウンド１１を形成して、容器３０の上端面と密接に接触されるようにする。
【００４５】
図９を参照すれば、この実施例による密閉部材２０は、カバープレート１０の周縁部に嵌合される一対の固定部２３、２４と接触部２２とを有している。接触部２２は、固定部２３、２４の周縁部に沿って一体に形成され、カバープレート１０の表面側に折り曲げられる。接触部２２の端部には、容器の外側面を加圧するための加圧突起２５が通孔２１の周縁部に沿って形成される。
【００４６】
接触部２２と固定部２３、２４とは、全体的に断面が"Ｅ"字形状に形成されて一体に射出成形されることができ、例えば、毒性のないシリコーンが用いられることができる。
【００４７】
以下、図１０を参照して、この実施例による容器カバーの使用方法を説明する。
【００４８】
先ず、固定部２３、２４によって形成される空間にカバープレート１０の周縁部を嵌合して容器カバー２０とカバープレート１０とを結合させる。この際、容器カバー２０のサイズをカバープレート１０より少し小さなものを選択すれば結合をより確実にできる。
【００４９】
このように容器カバー２０とカバープレート１０とを結合した後、内容物を盛っている容器３０の上端面に容器カバー２０を位置させた後、カバープレート１０の表面に位置する接触部２２に指を掛けて引張って矢印に表示されたように時計回り方向に２７０°引っ繰り返して容器３０の外側面に接触させる。
【００５０】
この際、カバープレート１０の側端面の下部にラウンド１１を形成することによって容器３０の上端面のラウンドと固定部２３とを介して弾性的に接触させ、一次的に密閉状態を維持する。
【００５１】
接触部２２は、固定部２３との境界面から折り曲げられて容器３０の外側面に密着されて容器カバーと容器３０とがしっかり結合される。
【００５２】
望ましくは、接触部２２の端部にボール形状の加圧突起２５を形成することによって容器３０の外側面をもっと確実に加圧することができる。
【００５３】
この実施例によれば、前記実施例に比べて接着剤を用いずに、容器カバーの上から接触部を引っ繰り返すので、使用者による取り扱いが容易であるという利点がある。
【００５４】
以上説明した容器カバーによれば、一つの容器カバーを、容器の種類やサイズにかかわらず適用することができ、使用が容易である。又、ラップなどのように使い捨てではないので資源を無駄にすることなく、それによって環境汚染を発生させない。
【００５５】
本発明の容器カバーは、残りの食べ物やいつも食べるおかずなどを冷蔵庫に保管することにも適切に用いられることができるところ、特に密閉が可能で冷蔵庫中で食べ物の臭いをさせないようにでき、積層が可能で狭い冷蔵庫内部を効率的に活用することができる。
【００５６】
又、内容物を盛った状態で電子レンジを用いて暖めたり、料理することができるという利点がある。
【００５７】
例えば、シリコーン材質の密閉部材の食べ物による変色を防止するために表面をコーティング処理することができる。又、カバープレートの形状は円形に限られず、適用される容器の口部の形状に応じて四角形や三角形などに製作することも可能である。
【産業上の利用可能性】
【００５８】
本発明によれば、一つの容器カバーを、容器の種類やサイズにかかわらず用いることができる利点がある。
【００５９】
又、カバーを覆ったり又は外したりする過程が簡単であるため、使用が容易であるという利点がある。
【００６０】
更に、ラップやビニールのような使い捨てではないので、資源の無駄がなく、これによって環境汚染を発生させないという利点がある。
【図面の簡単な説明】
【００６１】
【図１】本発明の第１の実施例による容器カバーを示す斜視図である。
【図２】図１におけるII-II矢視断面図である。
【図３】図１における分解斜視図である。
【図４】本発明の変形された実施例を示す断面図である。
【図５】本発明の第１の実施例による容器カバーを実際適用した状態を示す断面図である。
【図６】本発明の第２の実施例による容器カバーを示す断面図である。
【図７】本発明の第２の実施例による容器カバーを実際適用した状態を示す断面図である。
【図８】本発明の第３の実施例による容器カバーを示す断面図である。
【図９】図８における容器カバーを具体的に示す一部切断斜視図である。
【図１０】図８における容器カバーを実際適用した状態を示す断面図である。
【図１】
2007503363.tif 000003
【図２】
2007503363.tif 000004
【図３】
2007503363.tif 000005
【図４】
2007503363.tif 000006
【図５】
2007503363.tif 000007
【図６】
2007503363.tif 000008
【図７】
2007503363.tif 000009
【図８】
2007503363.tif 000010
【図９】
2007503363.tif 000011
【図１０】
2007503363.tif 000012
【国際調査報告】
2007503363.tif 000013